(57)【要約】      （修正有）【課題】便座の高さを調整する作業にかかる手間が小さく、かつ、姿勢が不安定になりにくいポータブルトイレを提供する。【解決手段】ポータブルトイレ１は、便槽および便座を支持する外郭２０と、複数の脚３０とを備え、複数の脚３０は、外郭２０に形成された中空の挿入部２１に挿入され、挿入部２１に挿入される長さに応じて便座の高さを変化させ、脚３０は、底面の形状が長手方向を有する形状であり、かつ、脚３０の脚部分４０よりも太い足５０が脚部分４０の端部と一体化していて、挿入部２１の内周面には、凸が形成され、脚部分４０の外面には、高さ方向に並べられて凸が嵌め込まれる凹４３が形成されている。【選択図】図１
2015134040.tif 000002
【特許請求の範囲】
【請求項１】
便槽および便座を支持する外郭と、
前記外郭に形成された中空の挿入部に挿入され、前記挿入部に挿入される長さに応じて前記便座の高さを変化させる複数の脚と
を備えるポータブルトイレであって、
底面の形状が長手方向を有する形状であり、かつ、前記脚よりも太い足が、前記脚の端部と一体化し、
前記挿入部の高さ方向に並べられた複数の凹、または、少なくとも１つの凸が、前記挿入部の内面に形成され、
前記挿入部の凹に嵌め込まれる少なくとも１つの凸、または、前記脚の高さ方向に並べられて前記挿入部の凸が嵌め込まれる複数の凹が、前記脚の外面に形成されている
ポータブルトイレ。
【請求項２】
前記足の底面の形状が、楕円形状と同一または類似した形状である
請求項１に記載のポータブルトイレ。
【請求項３】
前記足の底面の中心が前記脚の高さ方向の中心線に対して偏心している
請求項１または２に記載のポータブルトイレ。
【請求項４】
前記挿入部に挿入された前記脚が前記挿入部に対して回転することにより、前記挿入部の凹または凸と前記脚の凸または凹が互いに嵌め合わせられた状態である固定状態と、それら凹および凸が嵌め合わせられていない状態である調整状態とが切り替えられる
請求項１〜３のいずれか一項に記載のポータブルトイレ。
【請求項５】
前記挿入部および前記脚が、前記ポータブルトイレの前後方向と前記底面の長手方向との関係が互いに異なる複数の前記固定状態を形成し得る
請求項４に記載のポータブルトイレ。
【請求項６】
前記複数の固定状態の１つによれば、前記底面の長手方向が、前記ポータブルトイレの前後方向と実質的に一致する
請求項５に記載のポータブルトイレ。
【請求項７】
前記複数の脚のうちの前方の２本に関する前記複数の固定状態の１つによれば、前記底面の長手方向が、前記ポータブルトイレの前方に向かうにつれて前記ポータブルトイレの幅方向の外方に向かうように前記ポータブルトイレの前後方向に対して傾斜する
請求項５に記載のポータブルトイレ。
【請求項８】
前記複数の脚のうちの後方の２本に関する前記複数の固定状態の１つによれば、前記底面の長手方向が、前記ポータブルトイレの後方に向かうにつれて前記ポータブルトイレの幅方向の外方に向かうように前記ポータブルトイレの前後方向に対して傾斜する
請求項５または７に記載のポータブルトイレ。
【請求項９】
前記ポータブルトイレは、前記挿入部および前記脚の両方に挿入されて、前記挿入部に対する前記脚の回転を規制するピンをさらに備え、
前記挿入部および前記脚に挿入された前記ピンのヘッドが前記外郭または前記便槽の底面の下方に存在する空間に位置するように、前記ピンを挿入するための穴が前記挿入部および前記脚に形成されている
請求項１〜８のいずれか一項に記載のポータブルトイレ。
【請求項１０】
前記ポータブルトイレは、前記足の底面に取り付けられて、前記外郭の姿勢を前傾姿勢または後傾姿勢に保持するためのスペーサーをさらに備える
請求項１〜９のいずれか一項に記載のポータブルトイレ。
【発明の詳細な説明】
【技術分野】
【０００１】
本発明は、介護等に用いられるポータブルトイレに関する。
【背景技術】
【０００２】
従来のポータブルトイレは、使用者の体型に合わせて便座の高さを調整できるように、脚の長さを変化させる構造を有している。
特許文献１は、このようなポータブルトイレの一例を開示している。このポータブルトイレは、便槽および便座を支持する外郭、外郭に形成された中空の挿入部、挿入部に挿入されて外郭を支持する複数の脚、および、脚と個別に形成されて脚の端部に取り付けられる足を備える。脚は、複数の部品により構成され、上部支柱、ベース支柱、ロック部材、および、補助脚部を備える。このポータブルトイレによれば、上部支柱をベース支柱に対して上方にスライドさせ、ロック部材により上部支柱とベース支柱とを互いに固定することにより、便座の位置を高くすることができる。また、足をベース支柱の底に嵌め込むことにより、便座の位置をさらに高くすることができる。
【先行技術文献】
【特許文献】
【０００３】
【特許文献１】特開２０１０−２４０１６６号公報
【発明の概要】
【発明が解決しようとする課題】
【０００４】
上記ポータブルトイレによれば、便座の高さを調整するため、複数の部品により構成された脚を外郭から取り外し、部品の組み合わせを変更して脚の長さを調整し、または、上部支柱とベース支柱との関係を変化させて脚の長さを調整し、その後に脚を再び挿入部に挿入する必要がある。このため、作業者に煩わしさを感じさせるおそれがある。
【０００５】
また、便座の高さが高くなるにつれてポータブルトイレの重心が高くなるため、使用者が便座に着座するときなどのように便座にかかる荷重の方向が変化するときに、ポータブルトイレの姿勢が不安定になりやすい。しかし、特許文献１のポータブルトイレは、そのようなポータブルトイレの姿勢について特に考慮していない。
【０００６】
本発明の目的は、便座の高さを調整する作業にかかる手間が小さく、かつ、姿勢が不安定になりにくいポータブルトイレを提供することである。
【課題を解決するための手段】
【０００７】
〔１〕本ポータブルトイレの独立した一形態によれば、便槽および便座を支持する外郭と、前記外郭に形成された中空の挿入部に挿入され、前記挿入部に挿入される長さに応じて前記便座の高さを変化させる複数の脚とを備えるポータブルトイレであって、底面の形状が長手方向を有する形状であり、かつ、前記脚よりも太い足が、前記脚の端部と一体化し、前記挿入部の高さ方向に並べられた複数の凹、または、少なくとも１つの凸が、前記挿入部の内面に形成され、前記挿入部の凹に嵌め込まれる少なくとも１つの凸、または、前記脚の高さ方向に並べられて前記挿入部の凸が嵌め込まれる複数の凹が、前記脚の外面に形成されている。
【０００８】
〔２〕前記ポータブルトイレに従属する一形態によれば、前記足の底面の形状が、楕円形状と同一または類似した形状である。
〔３〕前記ポータブルトイレに従属する一形態によれば、前記足の底面の中心が前記脚の高さ方向の中心線に対して偏心している。
【０００９】
〔４〕前記ポータブルトイレに従属する一形態によれば、前記挿入部に挿入された前記脚が前記挿入部に対して回転することにより、前記挿入部の凹または凸と前記脚の凸または凹が互いに嵌め合わせられた状態である固定状態と、それら凹および凸が嵌め合わせられていない状態である調整状態とが切り替えられる。
【００１０】
〔５〕前記ポータブルトイレに従属する一形態によれば、前記挿入部および前記脚が、前記ポータブルトイレの前後方向と前記底面の長手方向との関係が互いに異なる複数の前記固定状態を形成し得る。
【００１１】
〔６〕前記ポータブルトイレに従属する一形態によれば、前記複数の固定状態の１つによれば、前記底面の長手方向が、前記ポータブルトイレの前後方向と実質的に一致する。
〔７〕前記ポータブルトイレに従属する一形態によれば、前記複数の脚のうちの前方の２本に関する前記複数の固定状態の１つによれば、前記底面の長手方向が、前記ポータブルトイレの前方に向かうにつれて前記ポータブルトイレの幅方向の外方に向かうように前記ポータブルトイレの前後方向に対して傾斜する。
【００１２】
〔８〕前記ポータブルトイレに従属する一形態によれば、前記複数の脚のうちの後方の２本に関する前記複数の固定状態の１つによれば、前記底面の長手方向が、前記ポータブルトイレの後方に向かうにつれて前記ポータブルトイレの幅方向の外方に向かうように前記ポータブルトイレの前後方向に対して傾斜する。
【００１３】
〔９〕前記ポータブルトイレに従属する一形態によれば、前記ポータブルトイレは、前記挿入部および前記脚の両方に挿入されて、前記挿入部に対する前記脚の回転を規制するピンをさらに備え、前記挿入部および前記脚に挿入された前記ピンのヘッドが前記外郭または前記便槽の底面の下方に存在する空間に位置するように、前記ピンを挿入するための穴が前記挿入部および前記脚に形成されている。
【００１４】
〔１０〕前記ポータブルトイレに従属する一形態によれば、前記ポータブルトイレは、前記足の底面に取り付けられて、前記外郭の姿勢を前傾姿勢または後傾姿勢に保持するためのスペーサーをさらに備える。
【発明の効果】
【００１５】
本ポータブルトイレによれば、便座の高さを調整する作業にかかる手間が小さく、かつ、姿勢が不安定になりにくい。
【図面の簡単な説明】
【００１６】
【図１】実施形態のポータブルトイレの斜視図。
【図２】実施形態のポータブルトイレの底面図。
【図３】図１のＤ３−Ｄ３線に沿う外郭の断面構造を示す断面図。
【図４】（ａ）実施形態の前脚の側面図。（ｂ）後脚の側面図。
【図５】実施形態の前脚を底面側から視た斜視図。
【図６】実施形態の挿入部および前脚を底面側から視た斜視図。
【図７】図１のＤ７−Ｄ７線に沿う断面構造を示す断面図。
【図８】実施形態のポータブルトイレの側面図。
【図９】スペーサーが取り付けられた実施形態のポータブルトイレの側面図。
【図１０】実施形態のポータブルトイレの側面図。
【図１１】実施形態のポータブルトイレの底面図。
【発明を実施するための形態】
【００１７】
図１〜図３を参照して、ポータブルトイレ１の構成について説明する。
図１に示されるように、ポータブルトイレ１は、便器１０、脚３０、キャスター７０、および、ピン８０を有する。
【００１８】
便器１０は、便槽１１、便蓋１２、背もたれ１３、肘掛１４、および、外郭２０を有する。便槽１１は、外郭２０に嵌め込まれている。
便蓋１２は、外郭２０の上面かつ後端部に取り付けられている。なお、便槽１１と便蓋１２との間には、図示しない便座が取り付けられている。便蓋１２は、便槽１１の上面に形成されている穴と便座の上面に形成されている穴とを覆うことができるように、外郭２０に回転可能に取り付けられている。背もたれ１３は、外郭２０の上面かつ後端部に取り付けられている。肘掛１４は、外郭２０の幅方向の両端部に取り付けられている。すなわち、外郭２０は、便槽１１および便座を支持している。
【００１９】
図２に示されるように、外郭２０は、外郭２０の下面において下方に突出する４つの挿入部２１を有する。外郭２０の外周は四角形状を有し、挿入部２１は、外郭２０のうちの四隅に形成されている。挿入部２１は、内部に中空を有する。挿入部２１には、脚３０が挿入されている。また、挿入部２１の付近には、挿入部２１に取り付けられる脚３０の種類を示す目印２４（図６参照）が備えられている。外郭２０は、例えば樹脂材料により形成されている。
【００２０】
図３に示されるように、挿入部２１の内面２１Ａの内部には、周方向に延びる３つの凸２２が形成されている。３つの凸２２は、周方向に１２０度ごとに並べて配置されている。すなわち、凸２２は、挿入部２１の高さ方向において１つだけ並べられている。右側の挿入部２１および左側の挿入部２１は、３つの凸２２が互いに左右対称となるように形成されている。また、挿入部２１には、外郭２０の中心２０Ｃ側にピン８０を挿入するための穴２３が形成されている。
【００２１】
図２に示されるように、４つの脚３０は、２つの第１脚３０Ａ、および、２つの第２脚３０Ｂを有している。また、脚３０には、第１スペーサー９１および第２スペーサー９２（図９参照）を取り付けることができる。第１脚３０Ａは、右側かつ後側の挿入部２１と、左側かつ前側の挿入部２１に取り付けられている。第２脚３０Ｂは、右側かつ前側の挿入部２１と、左側かつ前側の挿入部２１に取り付けられている。脚３０は、挿入部２１に挿入される長さに応じて便座の高さを変化させる。脚３０は、例えば樹脂材料により形成されている。
【００２２】
図２、図４、および、図５を参照して、脚３０の構造について説明する。
図４に示されるように、脚３０は、脚部分４０、足５０、および、足底６０を有している。
【００２３】
脚部分４０は、円柱形状を有する。脚部分４０の外面４０Ａは、周方向において３つの突出部４２が形成されている。隣り合う突出部４２の間には縦溝４１が形成されている。縦溝４１の周方向の大きさは、凸２２の周方向の大きさよりも大きい。
【００２４】
３つの突出部４２は、１２０度ごとに形成されている。突出部４２は、脚３０の長手方向に並ぶ複数の凹４３が形成されている。凹４３は、脚３０の周方向に延びている。凹４３は、周方向の一方の端部４３Ａが閉鎖されており、他方の端部４３Ｂが開放されている。
【００２５】
図４（ａ）および図４（ｂ）に示されるように、第１脚３０Ａと第２脚３０Ｂとは、端部４３Ａと端部４３Ｂとの関係が反対になっている。脚部分４０は、第１脚３０Ａおよび第２脚３０Ｂのいずれであるかを示す目印４４を有している。
【００２６】
図５に示されるように、足５０は、脚部分４０の端部において脚部分４０と一体的に形成されている。足５０は、長手方向を有し、平面視において楕円形状と同一または類似した形状である。足５０は、一対の短辺５１と長辺５２とを有する。足５０は、脚部分４０よりも太い。足５０の底面は開放されている。脚部分４０の高さ方向の中心線４０Ｃと、足５０の底面５３の中心５０Ｃとはずれている。すなわち、中心５０Ｃは、中心線４０Ｃに対して偏心している。
【００２７】
足５０の下方には、足底６０を取り付けるための取り付け構造５４が形成されている。足５０の底面５３の外周には、溝５５が形成されている。足５０の一方の短辺５１側の端部には、キャスター７０を取り付けるための差し込み口５６が形成されている。
【００２８】
足底６０は、足５０の底面５３と対応する楕円形状と同一または類似した形状である。足底６０は、例えばゴム材料により形成されている。足底６０は、上面６１の上方に取り付け構造６２を有し、上面６１の上方の外周に凸部６３を有している。取り付け構造６２は、取り付け構造５４に嵌め込まれる。凸部６３は、溝５５に嵌め込まれる。図２に示されるように、足底６０の裏面６４には、足底６０が前足底６０Ａおよび後足底６０Ｂのいずれかを示す目印６５が備えられている。
【００２９】
図６および図７を参照して脚３０と挿入部２１との取り付け操作について説明する。
凸２２および凹４３は、周方向において３つ形成されている。このため、挿入部２１および脚３０は、嵌め込まれる凸２２と凹４３との関係に応じて、ポータブルトイレ１の前後方向と底面５３の長手方向との関係が互いに異なる３つの位置で固定した固定状態を形成することができる。
【００３０】
作業者は、１つの脚３０の先端を、この脚３０の目印４４と一致する目印２４の付近、かつ、目印６５が示す前側または後側の挿入部２１に挿入する。このとき、足５０の底面５３の向きが所望の固定状態となるように、縦溝４１の周方向の位置を設定する。
【００３１】
例えば、図２に示されるように底面５３の長手方向を、ポータブルトイレ１の前後方向と実質的に一致させるとき、各脚３０と、挿入部２１とを以下ように設定する。
第１脚３０Ａは、底面５３の長手方向をポータブルトイレ１の前後方向と実質的に一致させた状態よりも時計回りに略６０度回転させた状態を形成する。これにより、凸２２を挿入したい凹４３と時計回りにおいて隣り合う縦溝４１に凸２２が嵌め込まれる。
【００３２】
第２脚３０Ｂは、底面５３の長手方向をポータブルトイレ１の前後方向と実質的に一致させた状態よりも反時計回りに略６０度回転させた状態を形成する。これにより、凸２２を挿入したい凹４３と反時計回りにおいて隣り合う縦溝４１に凸２２が嵌め込まれる。
【００３３】
作業者は、脚３０の縦溝４１の周方向の位置と凸２２の周方向の位置を合わせた状態（調整状態）において、脚３０を挿入部２１の中に押し込む。作業者は、脚３０を脚３０の外周に記載されている目盛等を目安にして所望の長さまで挿入部２１に押し込んだとき、脚３０を挿入部２１に対して回転させる。脚３０は、凸２２が凹４３の端部４３Ｂに向かって回転されたとき、凸２２が凹４３の中に嵌りこむ。作業者は、脚３０をさらに回転させ、凸２２が凹４３の端部４３Ａに接触する状態（固定状態）に切り替える。作業者は、ピン８０のヘッド８１を持ち、挿入部２１の穴２３にピン８０の先端８２を挿入する。作業者は、ピン８０の先端８２を縦溝４１に嵌めこむ。作業者は、全ての脚３０について同様の取り付け操作を行う。
【００３４】
上記の取り付け操作により、凸２２は、高さ方向に並んだ凹４３のうちの１つに嵌め込まれている。凸２２の一端は、溝の閉鎖している端部４３Ａの端面に突き当てられている。ピン８０は、穴２３に挿入されている。ピン８０のヘッド８１は、外郭２０から露出し、外郭２０の下方に位置する空間に位置している。ピン８０の先端８２は、縦溝４１の端面４１Ａに突き当てられている。すなわち、脚３０は、凸２２およびピン８０の先端８２により回転が規制されている。図８は、最も下方の凹４３に凸２２が嵌め込まれた状態を示している。このとき、ポータブルトイレ１の便座の高さが最も低くなる。
【００３５】
図９および図１０を参照して、第１スペーサー９１および第２スペーサー９２について説明する。
図９（ａ）に示されるように、第１スペーサー９１は、平面視における大きさおよび形状が足底６０と略一致している。第１スペーサー９１の上面９１Ａは、平面視における長手方向の一方から他方に向かうにつれて下方から上方に傾斜している。上面９１Ａには、取り付け構造５４に嵌め込まれる取り付け構造９１Ｂが備えられている。第１スペーサー９１の下面には、図５に示される取り付け構造５４および溝５５と同様の構造が形成されている。このため、第１スペーサー９１は、脚３０の下面に取り付けることができる。また、第１スペーサー９１の下面に足底６０を取り付けることができる。
【００３６】
図９（ｂ）に示されるように、第２スペーサー９２は、平面視における大きさおよび形状が足底６０と略一致している。第２スペーサー９２の上面９２Ａは、平面視における長手方向の一方から他方に向かうにつれて下方から上方に傾斜している。上面９２Ａには、取り付け構造５４に嵌め込まれる取り付け構造９２Ｂが備えられている。第２スペーサー９２の下面には、図５に示される取り付け構造５４および溝５５と同様の構造が形成されている。このため、第２スペーサー９２は、脚３０の下面に取り付けることができる。また、第２スペーサー９２の下面に足底６０を取り付けることができる。
【００３７】
第２スペーサー９２の上面９２Ａの傾斜角度は、第１スペーサー９１の上面９１Ａの傾斜角度と等しい。また、第２スペーサー９２の厚さは、第１スペーサー９１の厚さよりも大きい。
【００３８】
図１０に示されるように、第１スペーサー９１および第２スペーサー９２は、脚３０と足底６０との間に取り付けることができる。第１スペーサー９１が、脚３０と前足底６０Ａとの間に取り付けられ、第２スペーサー９２が脚３０と後足底６０Ｂとの間に取り付けられるとき、ポータブルトイレ１は前傾姿勢に保持される。また、第２スペーサー９２が、脚３０と前足底６０Ａとの間に取り付けられ、第１スペーサー９１が脚３０と後足底６０Ｂとの間に取り付けられるとき、ポータブルトイレ１は後傾姿勢に保持される。
【００３９】
図１１を参照して、図２とは異なる固定状態になっているときについて説明する。
図１１の固定状態においては、脚３０のうちの前方の２本は、底面５３の長手方向が、ポータブルトイレ１の前方に向かうにつれてポータブルトイレ１の幅方向の外方に向かうようにポータブルトイレの前後方向に対して傾斜している。
【００４０】
脚３０のうちの後方の２本は、底面５３の長手方向が、ポータブルトイレ１の後方に向かうにつれてポータブルトイレの幅方向の外方に向かうようにポータブルトイレの前後方向に対して傾斜している。
【００４１】
ポータブルトイレ１は以下の効果を奏する。
（１）先行文献に開示（従来）のポータブルトイレは、脚部分と足とが別体の部品により構成され、足を脚部分に組み付ける、または、脚部分から足を取り外すことにより便座の高さを変更する。このため、作業者に煩わしさを感じさせるおそれがある。
【００４２】
ポータブルトイレ１は、挿入部２１に挿入される足５０が一体化した脚３０の長さに応じて便座の高さを変更することができる。このため、先行文献に開示（従来）の構成と比較して、作業者が煩わしさを感じにくい。
【００４３】
また、便座の高さが高くなるにつれてポータブルトイレ１の重心が高くなるため、使用者が便座に着座するときなどのように便座にかかる荷重の方向が変化するときに、ポータブルトイレ１の姿勢が不安定になりやすい。ポータブルトイレ１の足５０の底面５３は脚部分４０より太く、長手方向を有する。このため、ポータブルトイレ１にかかる荷重に合わせることができるため、ポータブルトイレ１の姿勢が不安定になりにくい。したがって、ポータブルトイレ１は、便座の高さを調整する作業にかかる手間が小さく、かつ、姿勢が不安定になりにくい。
【００４４】
また、足５０が脚部分４０に一体化しているため、足５０と脚部分４０とにクリアランスが生じない。このため、足と脚部分とが別部品により構成される構成と比較して、脚３０が安定する。
【００４５】
また、足５０の底面５３が長手方向を有しない構成と比較して、すなわち、足５０が略正円形状を有する構成と比較して、対応できる荷重を大きくすることができる。
（２）ポータブルトイレ１は、凸２２と凹４３とを嵌め込むことにより便座の高さ位置を固定している。このため、例えば、穴２３を介して脚部分４０の外周を締めつけるねじ等により便座の高さ位置を固定する構成と比較して、脚３０と挿入部２１をしっかりと固定することができる。
【００４６】
（３）足５０の底面５３の形状は、楕円形状と同一または類似した形状である。すなわち、底面５３は、角を有しないため、使用者の足が当たる等したときに痛みを感じさせにくい。また、卵形状と比較して、短辺５１の曲率を小さくすることができるため、使用者の足が当たる等したときに痛みを感じさせにくい。
【００４７】
（４）ポータブルトイレ１の足５０の底面５３の中心５０Ｃの中心が脚部分４０の高さ方向の中心線４０Ｃに対して偏心している。このため、中心５０Ｃを中心線４０Ｃも外郭２０の中心２０Ｃ寄りに位置させることにより、足５０が外郭２０よりも外側にはみ出る量を小さくできる。このため、ポータブルトイレ１の設置面積を小さくできる。
【００４８】
また、中心５０Ｃと中心線４０Ｃとが一致する場合と比較して、脚部分４０に傾斜するような力がかかったときに脚部分４０からの力により足５０が傾斜しにくい。このため、ポータブルトイレ１の姿勢を安定させることができる。
【００４９】
（５）ポータブルトイレ１は、脚３０を回転させることにより固定状態と調整状態とが切り替えられる。このため、簡便に便座の高さを調整することができる。
（６）ポータブルトイレ１は、複数の位置において固定状態を形成し得る。このため、設置場所や目的等に応じて足５０の向きを変更することができる。
【００５０】
（７）ポータブルトイレ１は、底面５３の長手方向がポータブルトイレ１の前後方向と実質的に一致させることができる。このため、ポータブルトイレ１の幅方向の大きさをコンパクトにすることができる。
【００５１】
（８）ポータブルトイレ１は、前側の脚３０の底面５３の長手方向が前方に向かうにつれてポータブルトイレ１の幅方向の外方に向かうようにポータブルトイレ１の前後方向に対して傾斜させることができる。このため、ポータブルトイレ１のうちの前側の部分においてポータブルトイレ１に前後方向、および、幅方向の力がかかったときにもポータブルトイレ１の姿勢が安定する。
【００５２】
（９）ポータブルトイレ１は、後側の脚３０の底面５３の長手方向が後方に向かうにつれてポータブルトイレ１の幅方向の外方に向かうようにポータブルトイレ１の前後方向に対して傾斜させることができる。このため、ポータブルトイレ１のうちの後ろ側の部分においてポータブルトイレ１に前後方向、および、幅方向の力がかかったときにもポータブルトイレ１の姿勢が安定する。
【００５３】
（１０）ポータブルトイレ１は、外郭２０の下方にピン８０のヘッド８１が位置するように穴２３および縦溝４１が形成されている。このため、ピン８０を外郭２０の下方から挿入することができる。このため、ピン８０を簡単に差し込むことができる。また、外郭２０の下方にピン８０のヘッド８１が位置するため、使用者がピン８０に当たる等することが抑制される。
【００５４】
（１１）ポータブルトイレ１は、スペーサー９１，９２を取り付けることにより、前傾姿勢、または、後傾姿勢に保持することができる。このため、使用者の好みに応じて前傾姿勢、および、後傾姿勢に変更することができる。
【００５５】
（その他の実施形態）
本ポータブルトイレが取り得る具体的な形態は、上記実施形態に例示された形態に限定されない。本ポータブルトイレは、本発明の目的が達成される範囲において、上記実施形態とは異なる各種の形態を取り得る。以下に示される上記実施形態の変形例は、本ポータブルトイレが取り得る各種の形態の一例である。
【００５６】
・実施形態の底面５３を、長手方向を有する楕円形状、または、長方形状にすることもできる。また、卵形状にすることもできる。要するに、長手方向を有する形状であれば、底面５３をいずれの形状に変更することもできる。
【００５７】
・実施形態の足５０の中心５０Ｃを中心線４０Ｃと一致させることもできる。
・実施形態の凸２２および凹４３を周方向において１つだけにすることもできる。この場合、凸２２および凹４３は、ポータブルトイレ１の設置時における足５０の底面５３の向きに応じた位置に形成されている。
【００５８】
・実施形態の凸２２および凹４３を２つまたは４つ以上にすることもできる。
・実施形態の凸２２を凹とし、凹４３を凸とすることもできる。
・実施形態の内面２１Ａに高さ方向に並ぶ複数の凸２２を形成することもできる。この場合、凹４３を高さ方向において１つにすることもできる。
【００５９】
・実施形態のスペーサー９１，９２を足５０にねじを用いて固定することもできる。この場合、スペーサー９１，９２および足５０に形成されるねじ穴が取り付け構造６２に相当する。
【符号の説明】
【００６０】
１…ポータブルトイレ、１１…便槽、２０…外郭、２１…挿入部、２１Ａ…内面、２２…凸、２３…穴、３０…脚、４０…脚部分、４０Ｃ…中心線、４０Ａ…外面、４３…凹部、５０…足、５０Ｃ…中心、５３…底面、８０…ピン、８１…ヘッド、９１…第１スペーサー、９２…第２スペーサー。
【図１】
2015134040.tif 000003
【図２】
2015134040.tif 000004
【図３】
2015134040.tif 000005
【図４】
2015134040.tif 000006
【図５】
2015134040.tif 000007
【図６】
2015134040.tif 000008
【図７】
2015134040.tif 000009
【図８】
2015134040.tif 000010
【図９】
2015134040.tif 000011
【図１０】
2015134040.tif 000012
【図１１】
2015134040.tif 000013